(57)【要約】      （修正有）【課題】ドアを円滑に開放できる磁性吸着式ドアストップヒンジを提供する。【解決手段】磁性吸着式ドアストップヒンジ１０は、第１接続部材１の回転部１１にピボット部材３を内設し、ピボット部材３は、回転部一端から軸部３２を露出し、軸部３２は、第２接続部材２の軸筒部２１に枢着し、且つ軸筒部２１は、枢着空間２２の側壁上に固定溝２３を凹設し、固定溝２３内に磁性吸着部材４を設置し、磁性吸着部材４は、磁性吸着部４を有し、枢着空間２２に露出させ、第１接続部材１に軸部３２の回転を連動させる時、軸部３２は、回転して磁性吸着部に接近し、磁性吸着部との磁力吸着により位置決めを形成するか、軸部３２が回転して磁性吸着部から離れ、第１接続部材１及び第２接続部材２は、それぞれドア及びドア枠に接続した後、ドアは、円滑に開放でき、且つドアストップ機能を磁性吸着により位置決め形成することができる。【選択図】図３
0003206729.tif 000002
【実用新案登録請求の範囲】
【請求項１】
ドアに接続することに用いる第１接続部材を含み、前記第１接続部材は、回転部を有し、前記回転部は、ピボット部材を内設し、前記ピボット部材は、前記回転部の一端から軸部を露出する磁性吸着式ドアストップヒンジであって、
前記ピボット部材の前記軸部上にドア枠に接続することに用いる第２接続部材を設置し、前記第２接続部材は、軸筒部を有し、前記軸筒部の一端は、枢着空間を凹設し、前記軸部は、前記枢着空間内に枢着し、且つ前記軸筒部は、前記枢着空間の側壁上に固定溝を凹設し、前記固定溝内に磁性吸着部材を設置し、前記磁性吸着部材は、磁性吸着部を有し、前記枢着空間に露出させ、前記第１接続部材に前記軸部の回転を連動させる時、前記軸部は、回転して前記磁性吸着部に接近し、前記磁性吸着部との磁力吸着により位置決めを形成するか、前記軸部が回転して前記磁性吸着部から離れることを特徴とする磁性吸着式ドアストップヒンジ。
【請求項２】
前記第１接続部材の前記回転部の一端に位置決め空間を凹設し、前記ピボット部材の前記軸部は、位置決め部を設置し、前記位置決め部は、位置決め空間内に位置決めされ、前記軸部を前記回転部から露出させる請求項１に記載の磁性吸着式磁性吸着式ドアストップヒンジ。
【請求項３】
前記回転部が前記位置決め空間の側壁に位置決め溝を環形に凹設し、前記ピボット部材の前記位置決め部の側表面に収容孔を凹設し、前記収容孔内に弾性部材と限位柱を収容し、前記限位柱は、前記弾性部材の押圧を受けて前記収容孔に露出し、且つ前記限位柱の末端は、前記位置決め溝内に位置する請求項２に記載の磁性吸着式磁性吸着式ドアストップヒンジ。
【請求項４】
前記軸部が前記枢着空間内に軸柱を設け、前記軸柱の側方に欠き口を設け、前記軸柱を前記欠き口の側方に磁性吸着柱を形成させ、前記磁性吸着柱の側壁に当接面を形成し、前記磁性吸着部材の前記磁性吸着部は、前記欠き口内に位置し、前記軸部を回転させて前記磁性吸着部に接近させる時、前記磁性吸着部は、前記当接面を磁性吸着し、位置決めを形成する請求項１に記載の磁性吸着式磁性吸着式ドアストップヒンジ。
【請求項５】
前記軸柱は、前記欠き口底面中心に第１位置決め孔を設け、前記軸筒部は、前記枢着空間の底面に第２位置決め孔を設け、前記第１位置決め孔と前記第２位置決め孔の間は、当接柱を接続し、前記磁性吸着部材の末端に保持面を設け、前記保持面は、前記当接柱の外周縁に当接する請求項４に記載の磁性吸着式磁性吸着式ドアストップヒンジ。
【請求項６】
前記軸筒部の前記枢着空間の側壁上に位置決め溝を環形凹設し、前記軸部の側表面に収容孔を凹設し、前記収容孔内に弾性部材及び限位柱を収容し、前記限位柱は、前記弾性部材の押圧を受けて前記収容孔に露出し、且つ前記限位柱の末端は、前記位置決め溝内に位置する請求項４に記載の磁性吸着式磁性吸着式ドアストップヒンジ。
【考案の詳細な説明】
【技術分野】
【０００１】
本考案は、磁性吸着式ドアストップヒンジに関し、特に、磁性吸着位置決め形成ドアストップ機能を有するヒンジに関する。
【背景技術】
【０００２】
現在、ヒンジは、２つの相互の枢着を利用した接続部材であり、それぞれドア枠とドアに接続し、ドアをドア枠に基づいて軸回転させることができるが、ヒンジは、位置決めの機能がないので、ドアはノーマルオープン状態を保持する時、ドア又は地面に別途ドアストップを必要とし、相当に不便である。
【０００３】
また、従来のドアストップの固定ベースは、壁面に取り付けるか、床板に取り付けるかに関わらず、何れも室内の既存の装飾美観を破壊し、且つドアストップは、固定の磁性ロックの取り付け方式において、ドア板の既存の設計及び外観も破壊する。
【先行技術文献】
【特許文献】
【０００４】
【特許文献１】特開２００２−２１４１１号公報
【考案の概要】
【考案が解決しようとする課題】
【０００５】
本考案の目的は、ドアストップヒンジがドアの一定の角度開放後、ドアストップヒンジ内部において、ドアストップ機能を磁力吸着位置決め形成することができ、ドアを円滑に開放でき、回転が円滑でなくなる問題を生じることがないようにし、且つ構造を簡単確実にし、コストを低くすることにある。
【課題を解決するための手段】
【０００６】
上記目的を達成する為、本考案のドアストップヒンジは、第１接続部材を設置し、第１接続部材は、回転部を有し、回転部は、ピボット部材を内設し、ピボット部材は、回転部一端から軸部を露出し、軸部上に第２接続部材を設置し、第２接続部材は、軸筒部を有し、軸筒部一端は、枢着空間を凹設し、軸部は、枢着空間内に枢着し、且つ軸筒部は、枢着空間の側壁上に固定溝を凹設し、固定溝内に磁性吸着部材を設置し、磁性吸着部材は、磁性吸着部を有し、枢着空間に露出させ、第１接続部材に軸部の回転を連動させる時、軸部は、回転して磁性吸着部に接近し、磁性吸着部との磁力吸着により位置決めを形成するか、軸部が回転して磁性吸着部から離れる。
【０００７】
前記磁性吸着式ドアストップヒンジは、該第１接続部材の回転部の一端に位置決め空間を凹設し、ピボット部材の軸部は、位置決め部を設置し、位置決め部は、位置決め空間内に位置決めされ、軸部を回転部から露出させる。
【０００８】
前記磁性吸着式ドアストップヒンジは、該回転部が位置決め空間側壁に位置決め溝を環形に凹設し、ピボット部材の位置決め部側表面に収容孔を凹設し、収容孔内に弾性部材と限位柱を収容し、限位柱は、弾性部材の押圧を受けて収容孔に露出し、且つ限位柱の末端は、位置決め溝内に位置する。
【０００９】
前記磁性吸着式ドアストップヒンジは、該軸部が枢着空間内に軸柱を設け、軸柱側方に欠き口を設け、軸柱を欠き口の側方に磁性吸着柱を形成させ、磁性吸着柱の側壁に当接面を形成し、磁性吸着部材の磁性吸着部は、欠き口内に位置し、軸部を回転させて磁性吸着部に接近させる時、磁性吸着部は、当接面を磁性吸着し、位置決めを形成する。
【００１０】
前記磁性吸着式ドアストップヒンジは、該軸柱は、欠き口底面中心に第１位置決め孔を設け、軸筒部は、枢着空間底面に第２位置決め孔を設け、第１位置決め孔、第２位置決め孔の間は、当接柱を接続し、磁性吸着部材の末端に保持面を設け、保持面は、当接柱外周縁に当接する。
【００１１】
前記磁性吸着式ドアストップヒンジは、該軸筒部の枢着空間の側壁上に位置決め溝を環形凹設し、軸部側表面に収容孔を凹設し、収容孔内に弾性部材及び限位柱を収容し、限位柱は、弾性部材の押圧を受けて収容孔に露出し、且つ限位柱の末端は、位置決め溝内に位置する。
【考案の効果】
【００１２】
本考案の磁性吸着式ドアストップヒンジは、第１接続部材の回転部にピボット部材を内設し、ピボット部材は、回転部一端から軸部を露出し、軸部は、第２接続部材の軸筒部に枢着し、且つ軸筒部は、枢着空間の側壁上に固定溝を凹設し、固定溝内に磁性吸着部材を設置し、磁性吸着部材は、磁性吸着部を有し、枢着空間に露出させ、第１接続部材に軸部の回転を連動させる時、軸部は、回転して磁性吸着部に接近し、磁性吸着部との磁力吸着により位置決めを形成するか、軸部が回転して磁性吸着部から離れ、第１接続部材及び第２接続部材は、それぞれドア及びドア枠に接続した後、ドアは、円滑に開放でき、且つドアストップヒンジ内部は、ドアストップ機能を磁性吸着位置決め形成することができる。
【図面の簡単な説明】
【００１３】
【図１】本考案の立体外観図である。
【図２】本考案のもう１つの視角の立体外観図である。
【図３】図２のＡ−Ａ切断線の断面図である。
【図４】図２のＢ−Ｂ切断線の断面図である。
【図５】図２のＣ−Ｃ切断線の断面図である。
【図６】本考案の立体分解図である。
【図７】本考案の第２接続部材の立体断面図である。
【図８】本考案の磁性吸着位置決めの説明図である。
【図９】図８のＤ−Ｄ切断線の断面図である。
【図１０】本考案のドア及びドア枠に接続する時の説明図である。
【図１１】本考案のドアが第１接続部材の回転を連動する説明図である。
【考案を実施するための形態】
【００１４】
図１〜図７に示すように、図から分かるように、本考案のドアストップヒンジ１０は、第１接続部材１、第２接続部材２、ピボット部材３及び磁性吸着部材４を設置し、そのうち、該第１接続部材１は、回転部１１を有し、回転部１１一側に第１接続部１４を有し、且つ回転部１１一端に位置決め空間１２を凹設し、回転部１１は、位置決め空間１２の側壁上に位置決め溝１３を環形凹設し、回転部１１は、位置決め空間１２の底面に矩形の伝動溝１５を凹設する。
【００１５】
該第２接続部材２は、軸筒部２１を設け、軸筒部２１一側に第２接続部２６を接続し、軸筒部２１の一端に枢着空間２２を凹設し、軸筒部２１の枢着空間２２の側壁上に固定溝２３及び環形の位置決め溝２５を凹設し、固定溝２３は、枢着空間２２の底面に近接し、且つ軸筒部２１の枢着空間２２の底面に第２位置決め孔２４を設置し、更に、軸筒部２１の枢着空間２２から離れる他端表面に排気又は排水に用いる通孔２７を設置し、通孔２７は、枢着空間２２に連通する。
【００１６】
該ピボット部材３は、金属材質で形成され、その二側にそれぞれ位置決め部３１及び軸部３２を有し、且つ位置決め部３１及び軸部３２の間に当接部３３を環形凸設し、軸部３２は、軸柱３２１を有し、軸柱３２１側方に欠き口３２２を設け、軸柱３２１の欠き口３２２の側方に磁性吸着柱３２５を形成させ、磁性吸着柱３２５側壁に当接面３２３を形成し、且つ軸柱３２１の欠き口３２２底面中心に第１位置決め孔３２４を設置する。また、ピボット部材３の位置決め部３１及び軸部３２の側表面にそれぞれ収容孔（３１１、３２６）を設置し、収容孔（３１１、３２６）内に弾性部材５及び限位柱６を収容し、限位柱６は、弾性部材の押圧を受けて収容孔（３１１、３２６）に露出する。また、位置決め部３１の末端に第１接続部材１の伝動溝１５に相対する伝動柱３１２を形成する。
【００１７】
該磁性吸着部材４は、基部４３を有し、基部４３上に磁性吸着部４１を設置し、磁性吸着部４１の末端に保持面４２を凹設し、且つ磁性吸着部材４は、磁石を設ける。
【００１８】
上記のように、本考案の組み立て時、先ずピボット部材３の伝動柱３１２を伝動溝１５内に挿入嵌合し、位置決め部３１の収容孔３１１内の限位柱６の末端を位置決め溝１３内に位置させ、第１接続部材１を回転させる時、ピボット部材３がそれに伴って回転する。磁性吸着部材４の基部４３を第２接続部材２の固定溝２３内に位置させ、磁性吸着部４１を枢着空間２２に露出させ、当接柱７の一端を第２接続部材２の位置決め孔２４内に挿入し、磁性吸着部材４の保持面４２を当接柱７に当接させる。ピボット部材３の軸部３２を第２接続部材２の枢着空間２２内に枢着し、磁性吸着部材４の磁性吸着部４１を欠き口３２２内に位置させ、当接柱７の他端は、欠き口３２２底面の第１位置決め孔３２４に挿入され、回転部１１及び軸筒部２１の単面は、ピボット部材３の当接部３３に当接し、同様に、軸部３２の収容孔３２６内の限位柱６の末端は、第２接続部材２の位置決め溝２５内に位置決めされる。
【００１９】
図２及び図４に示すように、第１接続部材１の第１接続部材１４が第２接続部材２の第２接続部２６と平行である時、ピボット部材３の磁性吸着部材３の磁性吸着柱３２５は、磁性吸着部材４の磁性吸着部４１から離れている。図８及び図９に示すように、第１接続部材１がピボット部材３の回転を連動する時、ピボット部材３の磁性吸着柱３２５は、磁性吸着部材４の磁性吸着部４１に接近し、ピボット部材３の磁性吸着柱３２５の当接面３２３により位置決めを形成し、ドアストップヒンジ１０内部にドアストップヒンジきのうを磁性吸着位置決め形成させることができる。上記のように、図１０及び図１１に示すように、第１接続部材１の第１接続部１４がドア８に接続し、第２接続部材２の第２接続部２６がドア枠に接続する時、ドア８が一定角度開放後、磁性吸着３２５及び磁性吸着部４１が吸着位置決めを形成し、ドアストップ機能を確実に達成し、ドア８にノーマルオープン状態を保持させることができる。
【００２０】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２１】
１０  ドアストップヒンジ
１  第１接続部材
１１  回転部
１２  位置決め空間
１３  位置決め溝
１４  第１接続部
１５  伝動溝
２  第２接続部材
２１  軸筒部
２２  枢着空間
２３  固定溝
２４  第２位置決め孔
２５  位置決め溝
２６  第２接続部
２７  通孔
３  ピボット部材
３１  位置決め部
３１１  収容孔
３１２  伝動柱
３２  軸部
３２１  軸柱
３２２  欠き口
３２３  当接面
３２４  第１位置決め孔
３２５  磁性吸着柱
３２６  収容孔
３３  当接部
４  磁性吸着部材
４１  磁性吸着部
４２  支持面
４３  基部
５  弾性部材
６  限位柱
７  当接柱
８  ドア
９  ドア枠
【図１】
0003206729.tif 000003
【図２】
0003206729.tif 000004
【図３】
0003206729.tif 000005
【図４】
0003206729.tif 000006
【図５】
0003206729.tif 000007
【図６】
0003206729.tif 000008
【図７】
0003206729.tif 000009
【図８】
0003206729.tif 000010
【図９】
0003206729.tif 000011
【図１０】
0003206729.tif 000012
【図１１】
0003206729.tif 000013